(57)【要約】【課題】照明器具などの器具では、作動中に熱が発生する。このため、特に外気温が下がる冬場などでは、虫が器具に集まることがある。上記従来のものでは、外部に対して端子台が露出しているので、端子台の両端子間にまたがるほどの大きさの虫が端子台に到達すると、その虫を介して短絡故障が生じるおそれがある。【解決手段】器具に固定され、端子台を覆うカバー部材を設け、カバー部材で囲まれた空間から上記電力線が引き出される部分をカバー部材と器具側とで挟んで、上記抜止部として機能させると共に、この抜止部において電力線の全周にわたって隙間を形成しないことによって、上記カバー部材で囲まれた空間内に虫などの侵入を防止するようにした。【選択図】  図３
2019133783.tif 000002
【特許請求の範囲】
【請求項１】
器具の表面に設けられた端子台に、外部からの電力を供給する電力線を接続した状態で、電力線に引っ張り方向の力が作用しても端子台から外れることを防止するため、電力線を把持する抜止部を備えたものにおいて、上記器具に固定され、端子台を覆うカバー部材を設け、カバー部材で囲まれた空間から上記電力線が引き出される部分をカバー部材と器具側とで挟んで、上記抜止部として機能させると共に、この抜止部において電力線の全周にわたって隙間を形成しないことによって、上記カバー部材で囲まれた空間内に虫などの侵入を防止するようにしたことを特徴とする端子台の封止構造。
【請求項２】
上記端子台は器具の表面に設けられた凹部内に設けられており、上記カバー部材は、この凹部を封止することを特徴とする請求項１に記載の端子台の封止構造。
【請求項３】
上記カバー部材で囲まれた空間内に、上記端子台と上記抜止部との間に第２の抜止部を設け、カバー部材を器具に取り付けた状態で、この第２の抜止部においてカバー部材と器具とで上記電力線を把持することを特徴とする請求項１または請求項２に記載の端子台の封止構造。
【請求項４】
上記第２の抜止部を挟む一対のネジにより上記カバー部材を上記器具に取り付けるようにしたことを特徴とする請求項３に記載の端子台の封止構造。
【発明の詳細な説明】
【技術分野】
【０００１】
本発明は、照明器具などの器具に設けられた端子台に電力線を接続した状態で端子台を封止する端子台の封止構造に関する。
【背景技術】
【０００２】
照明器具などの多くの種類の器具では、外部からの電力の供給を受けて作動するものがある。外部からの電力はＶＶＦケーブルなどの電力線を介して供給される。この電力線を接続するための端子台が器具に設けられており、電力線をこの端子台に接続する。ただし、その状態で電力線に対して引っ張り方向の力が作用すると、電力線が端子台から外れるおそれが生じる。そこで、端子台に接続された状態で電力線を器具本体に対して把持し、電力線に引っ張り方向の力が作用しても、電力線が端子台から外れないようにする抜止部が設けられている（例えば、特許文献１参照）。
【先行技術文献】
【特許文献】
【０００３】
【特許文献１】特開２００４−９５３６７号公報（図６図番１５、[００１８]）
【発明の概要】
【発明が解決しようとする課題】
【０００４】
照明器具などの器具では、作動中に熱が発生する。このため、特に外気温が下がる冬場などでは、虫が器具に集まることがある。上記従来のものでは、外部に対して端子台が露出しているので、端子台の両端子間にまたがるほどの大きさの虫が端子台に到達すると、その虫を介して短絡故障が生じるおそれがある。
【０００５】
そこで本発明は、上記の問題点に鑑み、端子台に外部からの虫などの侵入を防止する端子台の封止構造を提供することを課題とする。
【課題を解決するための手段】
【０００６】
上記課題を解決するために本発明による端子台の封止構造は、器具の表面に設けられた端子台に、外部からの電力を供給する電力線を接続した状態で、電力線に引っ張り方向の力が作用しても端子台から外れることを防止するため、電力線を把持する抜止部を備えたものにおいて、上記器具に固定され、端子台を覆うカバー部材を設け、カバー部材で囲まれた空間から上記電力線が引き出される部分をカバー部材と器具側とで挟んで、上記抜止部として機能させると共に、この抜止部において電力線の全周にわたって隙間を形成しないことによって、上記カバー部材で囲まれた空間内に虫などの侵入を防止するようにしたことを特徴とする。
【０００７】
上記構成によれば、端子台をカバー部材で覆うので端子台への虫の侵入を防止することができる。ただし、このカバー部材で覆われた空間から電力線を外部に引き出す必要がある。そこで、電力線の引き出される部分をカバー部材と器具側とで挟むことによって、抜止部として機能させることとした。ただし、カバー部材と器具側とによる把持方向に対して例えば９０度方向に隙間が生じていれば、その隙間からの虫の侵入のおそれが生じる。そこで、この抜止部において、電力線の全周にわたって隙間を形成しないようにすることによって、抜止部からの虫の侵入を防止するようにした。
【０００８】
ところで、上記端子台を器具の裏面に設けるような場合、端子台を覆うカバー部材が裏面から突出していると、器具を壁面などに固定する場合にカバー部材が邪魔になる場合が生じる。このような場合には、上記端子台は器具の表面に設けられた凹部内に設けられており、上記カバー部材は、この凹部を封止するように構成すればよい。
【０００９】
上記抜止部において電力線を強力に把持しようとすると、カバー部材と器具本体との間に隙間が生じるおそれがある。このため、上記抜止部における把持力はあまり大きくすることができない。そこで、上記カバー部材で囲まれた空間内に、上記端子台と上記抜止部との間に第２の抜止部を設け、カバー部材を器具に取り付けた状態で、この第２の抜止部においてカバー部材と器具とで上記電力線を把持することが望ましい。
【００１０】
そして、この第２の抜止部における把持力をさらに強力にするため、上記第２の抜止部を挟む一対のネジにより上記カバー部材を上記器具に取り付けることが望ましい。
【発明の効果】
【００１１】
以上の説明から明らかなように、本発明は、カバー部材で端子台を覆うので端子台への虫の侵入を阻止することができ、これにより、端子台における虫が起因となる短絡故障を防止することができる。
【図面の簡単な説明】
【００１２】
【図１】本発明が適用される照明器具の正面を示す斜視図
【図２】上記照明器具の背面を示す斜視図
【図３】上記照明器具の背面にカバー部材を取り付ける状態を示す斜視図
【図４】IV−IV断面図
【発明を実施するための形態】
【００１３】
図１を参照して、１は本発明が適用される器具の一種である照明器具である。この照明器具１は樹脂製の本体１１と、この本体１１の前面に取り付けられる半透明の前カバー１２とを備えている。
【００１４】
図２を参照して、本体１１の背面には照明器具１を壁面に取り付ける際に背面に対して水などの侵入を防ぐ環状のパッキン１３が取り付けられている。そして、そのパッキン１３に囲まれた位置にカバー部材２が本体１１に対して一対のネジ２１によって固定されている。３は外部からの電力を照明器具１に供給するための電力線であり、例えばＶＶＦケーブルが使用される。
【００１５】
図３を参照して、照明器具１の背面には凹部１４が形成されており、その凹部１４内に端子台４が取り付けられている。電力線３が例えばＶＶＦケーブルであると、芯線は単線であるので、端子台４に対してその芯線を差し込むだけで電気的に接続される。ただし、そのままの状態では、電力線３に対して引き抜き方向の力が作用すると、電力線３が端子台４から外れてしまうおそれが生じる。そこで、カバー部材２に切欠部２２を設けると共に、凹部１４内に切欠部２２に対応する切欠部１５を設け、カバー部材２を本体１１に取り付けた際に、切欠部２２と切欠部１５とで電力線３の被覆を把持し、抜止部として機能するようにした。なお、切欠部２２と切欠部１５とは共に電力線３の表面との間に隙間が生じないように略半円形に形成されており、カバー部材２を本体１１に取り付けると、電力線３を把持すると共に、抜止部において電力線３の表面との間に隙間が生じないようにした。
【００１６】
ところで、切欠部２２と切欠部１５とによる把持力を強くするためには、両切欠部２２，１５を共に電力線３の被覆に深く食い込ませる必要がある。ただし、そのように設計するとカバー部材２を本体１１に取り付けた際に把持部でカバー部材２が浮き、隙間が生じてしまうおそれがある。そのため、切欠部２２と切欠部１５とによる把持部における把持力は十分に強くすることができない。
【００１７】
そこで、第２の把持分として、カバー部材２の裏側に爪部５１を設けると共に、本体１１の凹部１４内に、端子台４と切欠部１５との間に位置する爪部５２設け、図４に示すように、カバー部材２を本体１１に取り付けた状態で電力線３を両爪部５１、５２で把持し、電力線３がさらに引き抜かれないようにした。そして、この第２の把持部における把持力を大きくするために、上記一対のネジ２１が螺合するめねじ部５３を上記爪部５２を両側から挟む位置に設けた。
【００１８】
なお、図４に示すように、上記両爪部５１，５２には各々電力線３の被覆に食い込む鋸歯状の突起が設けられており、電力線３に対して引き抜き方向の力が作用すると、これら突起が電力線３の被覆に更に食い込むようにした。
【００１９】
なお、本発明は上記した形態に限定されるものではなく、本発明の要旨を逸脱しない範囲内において種々の変更を加えてもかまわない。
【符号の説明】
【００２０】
１ 照明器具
２ カバー部材
３ 電力線
４ 端子台
１４ 凹部
１５ 切欠部（把持部を構成する）
２２ 切欠部（把持部を構成する）
５１ 爪部（第２の把持部を構成する）
５２ 爪部（第２の把持部を構成する）
【図１】
2019133783.tif 000003
【図２】
2019133783.tif 000004
【図３】
2019133783.tif 000005
【図４】
2019133783.tif 000006